(57)【要約】【課題】  スロットマシン等の遊技機の遊技者にリーチ目であることなどを強烈に感じさせ、ゲームの面白みを増大させることのできる照明装置及び遊技機を提供する。【解決手段】  透明な板状部材２と、透明板状部材２の一方の面を覆う光拡散手段３と、透明板状部材２の他方の面を覆う導光手段４と、導光手段４の外側を覆う光反射手段５と、透明板状部材２に光を導入する第１の光源６と、透明板状部材２に間欠的に光を導入する第２の光源７とを備える照明装置１。導光手段４は、透明板状部材２の他方の面につや消し剤を蒸着した蒸着層、または導光板とすることができ、第１の光源６または／及び第２の光源７から透明板状部材２に光を導入するタイミングを制御する制御手段９を備え、光拡散手段３の外側に印刷板８を備えるようにして、照明装置１をスロットマシン等遊技機の前面に配置する。【選択図】  図１
2006006361.tif 000002
【特許請求の範囲】
【請求項１】
透明な板状部材と、
該透明板状部材の一方の面を覆う光拡散手段と、
前記透明板状部材の他方の面を覆う導光手段と、
該導光手段の外側を覆う光反射手段と、
前記透明板状部材に光を導入する第１の光源と、
前記透明板状部材に間欠的に光を導入する第２の光源とを備えることを特徴とする照明装置。
【請求項２】
前記導光手段は、前記透明板状部材の他方の面につや消し剤を蒸着した蒸着層、または導光板であることを特徴とする請求項１に記載の照明装置。
【請求項３】
前記第１の光源または／及び第２の光源から前記透明板状部材に光を導入するタイミングを制御する制御手段を備えることを特徴とする請求項１または２に記載の照明装置。
【請求項４】
前記光拡散手段の外側に印刷板を備えることを特徴とする請求項１、２または３に記載の照明装置。
【請求項５】
請求項４に記載の照明装置を遊技機の前面に備えることを特徴とする遊技機。
【発明の詳細な説明】
【技術分野】
【０００１】
本発明は、照明装置に関し、特に、スロットマシン等の遊技機に用いられ、ゲームの面白みを増大させることなどを可能とする照明装置に関する。
【背景技術】
【０００２】
従来、遊技場等に設置されているスロットマシンは、図２に示すように、回転リール２０、２１、２２の停止時に、３個の回転リール２０、２１、２２の面上の絵柄パターンが揃うと当選と判定され、所定枚数のメダルがメダル受け皿２３に払い戻されるが、近年のスロットマシンでは、いわゆるリーチ目が設定され、回転リール２０、２１、２２の停止時に所定のリーチ目絵柄パターンが現れた際には、次回のプレイで当選の絵柄パターンが現れる確率が高くなり、ゲームの面白みを増大させていた（例えば、特許文献１参照）。
【０００３】
上記リーチ機能を備えたスロットマシンでは、所定のリーチ目絵柄パターンが現れた際に、リーチ目であることを、音楽や他のランプ表示などで遊技客に知らせていた。例えば、リーチ目の際には、リーチ目絵柄パターン２４を点滅させたり、上化粧パネル２５の一部を点滅させていた。尚、下化粧パネル２６には、遊技者の目を引くような絵や文字等が印刷され、蛍光灯等で光るように構成されることが多い。
【０００４】
【特許文献１】特開２００３−２１０６４４号公報
【発明の開示】
【発明が解決しようとする課題】
【０００５】
しかし、上記従来のスロットマシンでは、リーチ目となった際に点滅する部分は、上述のように、リーチ目絵柄パターン２４や、上化粧パネル２５の一部に限定されていたため、必ずしも遊技者へのアピール度が高いとは言えず、改善の余地があった。
【０００６】
そこで、本発明は、上記従来のスロットマシン等における問題点に鑑みてなされたものであって、リーチ目であることをさらに遊技者に強烈に感じさせ、ゲームの面白みを増大させることのできる照明装置、及びそのような照明装置を備えたスロットマシン等の遊技機を提供することを目的とする。
【課題を解決するための手段】
【０００７】
上記目的を達成するため、本発明は、照明装置であって、透明な板状部材と、該透明板状部材の一方の面を覆う光拡散手段と、前記透明板状部材の他方の面を覆う導光手段と、該導光手段の外側を覆う光反射手段と、前記透明板状部材に光を導入する第１の光源と、前記透明板状部材に間欠的に光を導入する第２の光源とを備えることを特徴とする。
【０００８】
そして、本発明によれば、第１の光源によって透明板状部材に光を導入するとともに、第２の光源によって透明板状部材に間欠的に光を導入し、導入された光を導光手段によって透明板状部材全体に導き、光反射手段で反射し、光拡散手段によって透明板状部材全体に拡散させるため、透明板状部材全体を略々均一に点滅させることができる。
【０００９】
前記照明装置において、前記導光手段は、前記透明板状部材の他方の面につや消し剤を蒸着した蒸着層、または導光板とすることができる。
【００１０】
また、前記第１の光源または／及び前記第２の光源から前記透明板状部材に光を導入するタイミングを制御する制御手段を備えるようにして、例えば、タイマーやセンサー等を用いて第１の光源または／及び第２の光源から前記透明板状部材に光を導入するタイミングを制御することができる。
【００１１】
前記光拡散手段の外側に印刷板を備えるようにすることができる。これによって、印刷板に描かれた絵や文字等を鮮明に表示し、第２の光源によって印刷板全体を点滅させることができる。
【００１２】
また、本発明は、遊技機であって、上記照明装置を遊技機の前面に備えることを特徴とする。スロットマシン等の遊技機の化粧パネルのように、比較的面積の広い部分に描かれた絵や文字を鮮明に表示しながら、化粧パネル全体を点滅させることにより、リーチ目であることをさらに遊技者に強烈に感じさせ、ゲームの面白みを増大させることができる。
【発明の効果】
【００１３】
以上説明したように、本発明によれば、リーチ目であることをさらに遊技者に強烈に感じさせ、ゲームの面白みを向上させることなどが可能な照明装置等を提供することができる。
【発明を実施するための最良の形態】
【００１４】
次に、本発明にかかる照明装置の一実施の形態について、照明装置を図２に示したスロットマシンの下化粧パネル２６に用いた場合を例にとって説明する。
【００１５】
図１は、本発明にかかる照明装置の一実施の形態を示し、この照明装置１は、透明な板状部材としてのアクリル板２と、アクリル板２の一方の面を覆う光拡散手段としての拡散シート３と、アクリル板２の他方の面を覆う導光手段としての蒸着層４と、蒸着層４の外側の面を覆う光反射手段としての反射板５と、アクリル板２に光を導入する第１の光源としてのチップ型ＬＥＤ（Light Emitting Diode）６と、アクリル板２に間欠的に光を導入する第２の光源としての砲弾型ＬＥＤ７と、拡散シート３の外側の面を覆う印刷板８とを備える。
【００１６】
アクリル板２は、ガラスと同等の透明性を有するプラスチックで形成され、透明な板状部材として最も適しているが、アクリル板２の他に、塩化ビニルで形成した板状部材、フィルムやシートを用いることもできる。
【００１７】
拡散シート３は、樹脂にシリカ等の微粉末を練り込むことによって光を拡散するように形成され、アクリル板２の前面側に貼着される。
【００１８】
蒸着層４は、アクリル板２の後面側に、つや消し剤等を蒸着して形成する。尚、蒸着層４に代えて、幾何光学的な光線追跡により、全反射を繰り返して光を伝播させる導光板を用いることもできる。
【００１９】
反射板５は、鏡面仕上を施した面を有し、蒸着層４の後面側に貼着され、アクリル板２に導入された光を印刷板８側に反射する。
【００２０】
チップ型ＬＥＤ６は、アクリル板２の全体を白色照明するため、アクリル板２の下面に複数備えられ、ＺｎＳｅ系のチップ自体が白色に発光するものなどが用いられる。
【００２１】
砲弾型ＬＥＤ７は、発光素子から放射された光を樹脂レンズを介して外部へ放射するものであって、アクリル板２全体を間欠的に照明するため、アクリル板２の上面に複数配置される。この砲弾型ＬＥＤ７は、青、赤、黄等、色の異なる複数種類のものを用いることで、透明板状部材全体を種々の色で点滅させることができる。
【００２２】
印刷板８は、プラスチック等で形成され、外表面にスロットマシンの遊技者の目を引くような絵や文字等が印刷される。この印刷板８は、拡散シート３に接着剤等で貼着してもよく、または、拡散シート３に貼着せずに差し替え可能に装着するようにしてもよい。
【００２３】
また、上記構成に加え、チップ型ＬＥＤ６及び砲弾型ＬＥＤ７の点滅のタイミングを制御する制御回路９が設けられる。両ＬＥＤ６、７の点滅のタイミングは、図示しないセンサー、タイマー等を介して制御することができる。
【００２４】
次に、上記構成を有する照明装置１の動作について説明する。尚、以下の説明においても、照明装置１をスロットマシンの下化粧パネルに用いた場合を例にとって説明する。
【００２５】
通常の状態では、チップ型ＬＥＤ６及び砲弾型ＬＥＤ７は点灯されず、例えば、光センサーによってスロットマシンの周囲が暗くなったような場合など、必要に応じて、制御回路９を介してチップ型ＬＥＤ６を点灯させる。これによって、アクリル板２に白色光が導入され、導入された白色光は、拡散シート３、蒸着層４及び反射板５によってアクリル板２の全面に伝播し、印刷板８全体を裏面から照明する。これによって、印刷板８全体が略々均一な輝度となり、印刷板８に描かれた絵等が浮かび上がる。
【００２６】
そして、遊技者が遊技を続け、スロットマシンがリーチ目になると、その瞬間に制御回路９を介して砲弾型ＬＥＤ７が点滅する。砲弾型ＬＥＤ７から放射された光は、アクリル板２の中を伝播し、拡散シート３、蒸着層４及び反射板５を介してアクリル板２の全面に達する。これによって、印刷板８全体が間欠的に照明され、印刷板８に描かれた絵等が間欠的に浮かび上がり、リーチ目であることを遊技者に強烈に感じさせ、ゲームの面白みを増大させる。
【００２７】
尚、上記説明においては、本発明にかかる照明装置をスロットマシンの化粧板に用いた場合を例にとって説明したが、スロットマシン等の遊技機以外にも広告板、案内板等にも用いることができる。
【図面の簡単な説明】
【００２８】
【図１】本発明にかかる照明装置の一実施の形態を示す図であって、（ａ）は正面図、（ｂ）は上面図である。
【図２】従来のスロットマシンの一例を示す概略正面図である。
【符号の説明】
【００２９】
１      照明装置
２      アクリル板
３      拡散シート
４      蒸着層
５      反射板
６      チップ型ＬＥＤ
７      砲弾型ＬＥＤ
８      印刷板
９      制御回路
【図１】
2006006361.tif 000003
【図２】
2006006361.tif 000004
【手続補正書】
【提出日】平成17年8月17日(2005.8.17)
【手続補正１】
【補正対象書類名】特許請求の範囲
【補正対象項目名】全文
【補正方法】変更
【補正の内容】
【特許請求の範囲】
【請求項１】
透明な板状部材と、
該透明板状部材の一方の面を覆う光拡散手段と、
前記透明板状部材の他方の面を覆う導光手段と、
該導光手段の外側を覆う光反射手段と、
前記透明板状部材に光を導入する第１の光源と、
前記透明板状部材に間欠的に光を導入する第２の光源とを備えることを特徴とする照明装置。
【請求項２】
前記第１の光源または／及び第２の光源から前記透明板状部材に光を導入するタイミングを制御する制御手段を備えることを特徴とする請求項１に記載の照明装置。
【請求項３】
前記光拡散手段の外側に印刷板を備えることを特徴とする請求項１または２に記載の照明装置。
【請求項４】
請求項３に記載の照明装置を遊技機の前面に備えることを特徴とする遊技機。
【手続補正２】
【補正対象書類名】明細書
【補正対象項目名】０００９
【補正方法】削除
【補正の内容】